(57)【要約】【課題】部品の製造誤差があっても、複数の部材を隙間のない状態で接合して外観を良好にできる部品の接合構造及び電子機器を提供すること。【解決手段】第２のパネル構成部品２１２は、対向面６１Ａが略平面状に形成され、第１のパネル構成部品２１１は対向面５１Ａの取付具の近傍に一端側から他端側にかけて厚み寸法が大きくなるテーパ面５１Ｂとされる。取付具により両部品を接合することで、第２のパネル構成部品２１２と第１のパネル構成部品２１１との対向面５１Ａ，６１Ａが他端側から一端側にかけて近接することになり、第２のパネル構成部品２１２は、その壁部２１２Ｂが第１のパネル構成部品２１１の壁部２１１Ｂとの間の隙間が小さくなる方向に常に付勢される。【選択図】  図３
2006120705.tif 000002
【特許請求の範囲】
【請求項１】
第１部品と第２部品とを互いに対向面同士を対向させて接合するとともに、前記対向面の一端側で前記第１部品と前記第２部品とを係止し、前記対向面の他端側で前記第１部品と前記第２部品とを取付具を介して取り付け、前記第１部品及び前記第２部品は、それぞれ前記一端側から前記他端側にかけて形成された仮想直線と直交する方向に前記仮想直線と略平行に形成された壁部を備え、これらの壁部の互いに対向する面が前記平面状の対向面と略平行とされた部品の接合構造であって、
前記第１部品及び前記第２部品の一方は、前記対向面が略平面状に形成され、前記第１部品及び前記第２部品の他方は、前記対向面の少なくとも前記取付具の近傍に前記一端側から前記他端側にかけて厚み寸法が大きくなるテーパ面とされる、
ことを特徴とした部品の接合構造。
【請求項２】
第１部品と第２部品とを互いに接合させる部品の接合構造であって、前記第２部品は第１の面と第２の面とを有する屈曲した形状であり、前記第１部品は前記第２の部品の屈曲面を形成する第１の面と第２の面のそれぞれに接触する少なくとも二つの対向面を備え、前記第１の面と前記第２の面はそれぞれの端部で連結して連結部を有するように前記屈曲面を形成し、前記第１の面と前記第１部品の対向面との端部は、取付具を介して取付けられて固定部を形成し、前記第１の面と、この第１の面と対向する前記第２部品の対向面との少なくとも一方の面には、前記固定部から前記連結部にかけてその突出量が漸次小さくなるような突出部が形成されてなることを特徴とした部品の接合構造。
【請求項３】
請求項１又は２に記載された部品の接合構造において、
前記取付具はボルトである、
ことを特徴とした部品の接合構造。
【請求項４】
請求項１から３のいずれかに記載された部品の接合構造において、
前記第１部品及び前記第２部品の一方は一端側に折返部が形成され、この折返部は、前記平面状の対向面と略平行に形成されたガイド面と、このガイド面と連続して形成された第１係止部とが形成された先端部を備え、前記第１部品及び前記第２部品の他方は、前記ガイド面と平行なガイド面と前記第１係止部と係合される第２係止部とが形成された突起部を備え、前記第１係止部と前記第２係止部とは凹凸嵌合される、
ことを特徴とした部品の接合構造。
【請求項５】
請求項１から４のいずれかに記載された部品の接合構造を備えた、
ことを特徴とした電子機器。
【請求項６】
請求項５に記載された電子機器であって、
前記第１部品及び前記第２部品はそれぞれ機器本体に取り付けられるパネル構成部品である、
ことを特徴とした電子機器。
【発明の詳細な説明】
【技術分野】
【０００１】
本発明は、互いに対向面同士を対向させて複数の部品を接合する部品の接合構造及びこの接合構造を備えた電子機器に関する。
【背景技術】
【０００２】
ＤＶＤ（Digital Versatile Disc）を用いた装置、ビデオデッキ、ゲーム機器、その他の電子機器においては、操作上必要なボタン、スイッチ等の部品や、電源又は他の機器との接続に必要な端子、ジャック等の部品が機器本体の操作面側や裏面側に設けられている。この機器本体にはボタンや端子等の部品を覆うためのパネルが操作面側に取り付けられている。
このパネルは製造上や組立上の都合により、複数のパネル構成部品に分割されることがあり、これらのパネル構成部品は対向面同士を対向させて互いに接合される。
【０００３】
複数のパネル構成部品は、それぞれ両端部に壁部を備えており、これらの壁部から所定寸法離れた内側の所定位置でパネル構成部品自体が接合される。
複数のパネル構成部品同士を接合するにあたり、対向面の一端側で両パネル構成部品を係止し、対向面の他端側でボルト止めする構造がある。
従来では、互いに対向するパネル構成部品は、その壁部の対向面並びに接合部の対向面が略全面に渡って接合するように平行に形成されている。
【発明の開示】
【発明が解決しようとする課題】
【０００４】
個々のパネル構成部品は、設計図に基づいて、射出成形、その他の適宜な成形法により製造されるが、設計図上の寸法や形状と、成形品の寸法や形状は厳密に同一とはならない。
つまり、製造されたパネル構成部品は設計上との誤差があり、互いに対向するパネル接合部の対向面同士は正確に平行とはならない。
そのため、複数のパネル構成部品を接合するために、パネル構成部品同士を対向面の一端側で係止し、対向面の他端側でボルト止めしても、対向面同士の間に隙間が生じることになり、その結果、外見から見える壁部同士の隙間が目立って外観が損なわれるという課題が一例として挙げられる。
【０００５】
本発明の目的は、部品の製造誤差があっても、複数の部材を隙間のない状態で接合して外観を良好にできる部品の接合構造及び電子機器を提供しようとするものである。
【課題を解決するための手段】
【０００６】
請求項１に記載の発明は、第１部品と第２部品とを互いに対向面同士を対向させて接合するとともに、前記対向面の一端側で前記第１部品と前記第２部品とを係止し、前記対向面の他端側で前記第１部品と前記第２部品とを取付具を介して取り付け、前記第１部品及び前記第２部品は、それぞれ前記一端側から前記他端側にかけて形成された仮想直線と直交する方向に前記仮想直線と略平行に形成された壁部を備え、これらの壁部の互いに対向する面が前記平面状の対向面と略平行とされた部品の接合構造であって、前記第１部品及び前記第２部品の一方は、前記対向面が略平面状に形成され、前記第１部品及び前記第２部品の他方は、前記対向面の少なくとも前記取付具の近傍に前記一端側から前記他端側にかけて厚み寸法が大きくなるテーパ面とされる、ことを特徴とした部品の接合構造である。
【０００７】
請求項２に記載の発明は、第１部品と第２部品とを互いに接合させる部品の接合構造であって、前記第２部品は第１の面と第２の面とを有する屈曲した形状であり、前記第１部品は前記第２の部品の屈曲面を形成する第１の面と第２の面のそれぞれに接触する少なくとも二つの対向面を備え、前記第１の面と前記第２の面はそれぞれの端部で連結して連結部を有するように前記屈曲面を形成し、前記第１の面と前記第１部品の対向面との端部は、取付具を介して取付けられて固定部を形成し、前記第１の面と、この第１の面と対向する前記第２部品の対向面との少なくとも一方の面には、前記固定部から前記連結部にかけてその突出量が漸次小さくなるような突出部が形成されてなることを特徴とした部品の接合構造である。
請求項５に記載の発明は請求項１〜４のいずれかに記載された部品の接合構造を備えた、ことを特徴とした電子機器である。
【発明を実施するための最良の形態】
【０００８】
以下、本発明の一実施形態を図面に基づいて説明する。
図１は本実施形態にかかる電子機器の要部を示す分解斜視図である。
図１において、電子機器は、ＤＶＤ装置であって、機器本体１と、この機器本体１の操作面側に設けられたパネル２とを備えて構成されている。
【０００９】
機器本体１は、複数（図では５個）の端子３Ａ〜３Ｅが突出して設けられたシャーシ１１と、このシャーシ１１の端子３Ａ〜３Ｅの基端部分を覆う箱部材１２とを備えている。
シャーシ１１は、その内部に図示しない電子部品を収納するものであって、板金により成形されている。
箱部材１２は、平面矩形状の正面部１２１と、この正面部１２１の各辺から折り曲げて形成された側面部１２２と、この側面部１２２から折り曲げて形成されシャーシ１１に取り付けられる取付部１２３とから形成されている。正面部１２１から露出された端子３Ａ〜３Ｅは横方向に一列に並んで配置されている。
【００１０】
パネル２はパネル本体２１とカバー２２とに分割して構成されている。パネル本体２１は、カバー２２の周縁部及び機器本体１の端子３Ａ〜３Ｅの近傍以外を覆うものであって、第１のパネル構成部品２１１と、この第１のパネル構成部品２１１より上方に配置された第２のパネル構成部品２１２とに分割されて構成されている。
第１のパネル構成部品２１１は、正面部２１１Ａと、この正面部２１１Ａの左右両側端にそれぞれ設けられた壁部２１１Ｂと、正面部２１１Ａの下部に設けられた底面部２１１Ｃと、正面部２１１Ａの上部に設けられた頂部２１１Ｄと（図３参照）が合成樹脂により一体に成形された構造である。
正面部２１１Ａには、電子機器を操作するためのスイッチ４及びボタン５と、図示しない光ディスクを挿入するためのスロット６と、端子３Ａ〜３Ｅを露出させるための平面略長円形の窓部７と、平面矩形状の表示窓８とがそれぞれ形成されている。
壁部２１１Ｂの上端面は水平方向に延びた平面とされる。
【００１１】
第２のパネル構成部品２１２は、表示窓８と干渉しないように中央部が切り欠かれて形成された正面部２１２Ａと、この正面部２１２Ａの左右両側端にそれぞれ設けられた壁部２１２Ｂと、正面部２１２Ａの上面に設けられた頂部２１２Ｃと、正面部２１２Ａの裏面から突出するとともに壁部２１１Ｂから所定寸法離れて設けられた上下２枚の背面板部２１２Ｄと（図３参照）、が合成樹脂により一体に成形された構造である。
壁部２１２Ｂの下端面は水平方向に延びた平面であって、壁部２１１Ｂの上端面と平行に形成されている。
【００１２】
カバー２２は、箱部材１２の正面部１２１と対向するカバー本体２２１と、このカバー本体２２１から折り曲げて形成された係止片２２２とが合成樹脂から一体に成形された構造である。
カバー本体２２１はシャーシ１１の端子３Ａ〜３Ｅの近傍を覆う平面略長円状の平板部材であり、端子３Ａ〜３Ｅをそれぞれ挿通する挿通孔２２１Ａ〜２２１Ｅが左右に並んで形成されている。これらの挿通孔２２１Ａ〜２２１Ｅは、それを挿通する端子３Ａ〜３Ｅの正面形状に倣った形状とされており、端子３Ａ〜３Ｅの外周面との寸法が短くされている。
【００１３】
カバー本体２２１の正面には、第１のパネル構成部品２１１の窓部７側に向けて突出する突起部２２１Ｆが設けられている。本実施形態においては、この突起部２２１Ｆは挿通孔２２１Ａ〜２２１Ｅの上下にそれぞれ直線状に設けられている。なお、突起部２２１Ｆは、静電気が窓部７と樹脂製のカバー２２の隙間から機器内部の金属部分へ到達することを防止するために設けられるものである。
係止片２２２はカバー本体２２１の上下端縁の２カ所ずつ合計４カ所に設けられており、それぞれ先端に係止用爪２２２Ａを有する（図１では２カ所のみ示す）。
【００１４】
図２には機器本体１とパネル２との取付構造の詳細が示されている。図２（Ａ）は分解断面図、図２（Ｂ）は断面図である。
図２において、窓部７は、第１のパネル構成部品２１１の機器本体１に向けて延びた筒状部２１１Ｅの内部空間から構成されており、この筒状部２１１Ｅの外周縁に突起部２２１Ｆが係合される。
箱部材１２は、その正面部１２１の上下部に係止片２２２を案内する開口部１２Ａが形成され、その側面部１２２の略中央部に係止用爪２２２Ａを係止する係止窓１２Ｂが形成されている。係止片２２２は、開口部１２Ａから箱部材１２の内部に挿入されると、その弾性力に抗して撓み、係止用爪２２２Ａが係止窓１２Ｂの位置に到達すると、その弾性力により係止用爪２２２Ａが係止窓１２Ｂに係合される。
【００１５】
図３から図６には第１のパネル構成部品２１１と第２のパネル構成部品２１２との接合構造が示されている。
図３は第１のパネル構成部品２１１と第２のパネル構成部品２１２とが接合された状態を示すもので、図３（Ａ）は斜視図、図３（Ｂ）は断面図である。
図３において、本実施形態では、第１のパネル構成部品２１１が第１部品であり、第２のパネル構成部品２１２が第２部品である。
図３（Ａ）に示される通り、第１のパネル構成部品２１１の頂部２１１Ｄには第１取付部５１と第２取付部５２とが形成されており、これらの第１取付部５１と第２取付部５２との間にはガイド用突起５３が設けられている。
第２のパネル構成部品２１２の上方の背面板部２１２Ｄには第１取付部６１と第２取付部６２が形成されている。これらの第１取付部６１と第２取付部６２との間にはガイド用突起５３が案内されるガイド溝６３が形成されている。
【００１６】
図３（Ｂ）に示される通り、第１のパネル構成部品２１１と第２のパネル構成部品２１２とは第１取付部５１，６１の互いに対向する対向面５１Ａ，６１Ａの一端側（正面側）で係止されており、対向面５１Ａ，６１Ａの他端側（背面側）で取付具であるボルト９を介して互いに取り付けられている。ボルト９は第２のパネル構成部品２１２の第１取付部６１に形成されたボルト孔９２に挿通されるとともに第１のパネル構成部品２１１の第１取付部５１に形成されたボルト孔９１に螺合される。
第１のパネル構成部品２１１の第１取付部５１は、対向面５１Ａのボルト９の近傍に一端側から他端側にかけて（図３（Ｂ）中、左から右にかけて）厚み寸法が大きくなるテーパ面５１Ｂとされる。
第２パネル構成部品２１２の第１取付部６１の対向面６１Ａは壁部２１２Ｂの下端面と略平行な平面状とされている。そのため、図４に示される通り、ボルト９を第１取付部５１，６１にねじ込むと、第１パネル構成部品２１１の第１取付部６１が第２パネル構成部品２１２の第１取付部６１に形成されたテーパ面５１Ｂに沿って撓むことになり、パネル本体２１の正面側において第２のパネル構成部品２１２が第１のパネル構成部品２１１に近接することになる（想像線参照）。
【００１７】
第１パネル構成部品２１１の第２取付部５２は略三角状の突起であり、第２パネル構成部品２１２の第２取付部６２は第２取付部５２の突起に凹凸嵌合する平面矩形状の開口部である。
第１取付部５１の一端側（正面側）には折返部５１Ｃが形成され、この折返部５１Ｃは平面状の対向面５１Ａと略平行に形成されたガイド面５１Ｄと、このガイド面５１Ｄと連続して形成された突起状の第１係止部５１Ｅとが形成された先端部５１Ｆを備えている。
第２のパネル構成部品２１２の下方の背面板部２１２Ｄにはガイド面５１Ｄに案内される突起部６４が形成され、この突起部６４には第１係止部５１Ｅと凹凸嵌合する孔状の第２係止部６４Ａが形成されている。そのため、第２パネル構成部品２１２を第１パネル構成部品２１１に対して押し込むと、第１係止部５１Ｅと第２係止部６４Ａとが嵌合され、かつ、第２取付部５２，６２同士が嵌合される。
【００１８】
この構成の電子機器を組み立てるには、まず、図５に示される通り、第２のパネル構成部品２１２を第１のパネル構成部品２１１に対して矢印Ｐ方向に沿って押し込む。すると、図６に示される通り、第１のパネル構成部品２１１の第１係止部５１Ｅと第２のパネル構成部品２１２の第２係止部６４Ａとが凹凸嵌合されるとともに、両パネル構成部品２１１，２１２の第２取付部５２，６２同士が凹凸嵌合される。
【００１９】
その後、図３に示される通り、ボルト９を、第１取付部６１のボルト孔９２に挿通するとともに第１取付部５１のボルト孔９１にねじ込む。このねじ込み量を多くすることで、第２のパネル構成部品２１２と第１のパネル構成部品２１１との対向面５１Ａ，６１Ａが他端側から一端側にかけて近接することになり（図４の想像線参照）、第２のパネル構成部品２１２は、その壁部２１２Ｂが第１のパネル構成部材２１１の壁部２１１Ｂとの間の隙間が小さくなる方向に常に付勢されながら第１のパネル構成部品２１１に固定される。
さらに、予め組み立てられた機器本体１の箱部材１２の正面にカバー２２を装着し、その後、第１のパネル構成部品２１１と第２のパネル構成部品２１２とを接合して形成されたパネル本体２１を機器本体１に装着する。
【００２０】
〔電子機器の作用効果〕
前述のような電子機器では次の作用効果を得ることができる。
（１）第２のパネル構成部品２１２は、対向面６１Ａが略平面状に形成され、第１のパネル構成部品２１１は対向面５１Ａの取付具の近傍に一端側から他端側にかけて厚み寸法が大きくなるテーパ面５１Ｂとされたから、取付具により両部品を接合することで、第２のパネル構成部品２１２と第１のパネル構成部品２１１との対向面５１Ａ，６１Ａが他端側から一端側にかけて近接することになり、第２のパネル構成部品２１２は、その壁部２１２Ｂが第１のパネル構成部品２１１の壁部２１１Ｂとの間の隙間が小さくなる方向に常に付勢されながら第１のパネル構成部品２１１に固定される。そのため、第１のパネル構成部品２１１や第２のパネル構成部品２１２に製造誤差があっても、両部品の壁部２１１Ｂ，２１２Ｂの間に隙間がなくなるので、電子機器の外観を良好なものにすることができる。
【００２１】
（２）取付具をボルト９としたので、第１のパネル構成部品２１１と第２のパネル構成部品２１２とを接合する際に、ボルト９をねじ込むだけでよいので、接合作業を容易にできる。
【００２２】
（３）第１のパネル構成部品２１２に折返部５１Ｃが形成され、この折返部５１Ｃは、平面状の対向面６１Ａと略平行に形成されたガイド面５１Ｄと、このガイド面５１Ｄと連続して形成された第１係止部５１Ｅとが形成された先端部５１Ｆを備えている。そして、第２のパネル構成部品２１２は、ガイド面５１Ｄと平行なガイド面と第１係止部５１Ｅと係合される第２係止部６４Ａとが形成された突起部６４を備え、第１係止部５１Ｅと第２係止部６４Ａとを凹凸嵌合させた。そのため、第１のパネル構成部品２１２に対して第２のパネル構成部品２１２をガイド面５１Ｄと平行な面内で押し込むことで、第１係止部５１Ｅと第２係止部６４Ａとが嵌合されることになるので、両部品の係合を容易に行うことができる。
【００２３】
（４）第１のパネル構成部品２１１及び第２のパネル構成部品２１２の第２取付部５２，６２同士を凹凸嵌合させる構成であるので、第１のパネル構成部品２１２に対して第２のパネル構成部品２１２をガイド面５１Ｄと平行な面内で押し込むことで、第２取付部５２，６２同士が凹凸嵌合されることになるので、この点からも両部品の係合を容易に行うことができる。
【００２４】
（５）第１のパネル構成部品２１１の第１取付部５１と第２取付部５２との間にはガイド用突起５３が設けられ、第２のパネル構成部品２１２の第１取付部６１と第２取付部６２との間にはガイド用突起５３が案内されるガイド溝６３が形成されているから、第１のパネル構成部品２１２に対して第２のパネル構成部品２１２を押し込む際に、ガイド溝６３とガイド用突起５３とで位置決めをすることができる。そのため、第１のパネル構成部品２１１と第２のパネル構成部品２１２との円滑な組立を行うことができる。
【００２５】
（６）複数の端子３Ａ〜３Ｅをそれぞれ突出して設けた機器本体１にパネル２が設けられ、このパネル２は端子３Ａから３Ｅを挿通する挿通孔２２１Ａ〜２２１Ｅが形成され機器本体１と係止されるカバー２２と、このカバー２２の周縁部を覆うとともに端子３Ａ〜３Ｅを露出させる窓部７が形成されたパネル本体２１とに分割したから、パネル２を機器本体１に取り付けるにあたり、まず、機器本体１の端子３Ａ〜３Ｅの近傍を小型化薄型化が可能なカバー２２で直接位置決めして覆い、その後、このカバー２２を含めて機器本体１の全体をパネル本体２１で覆うようにしたので、端子３Ａ〜３Ｅを挿通孔２２１Ａ〜２２１Ｅに挿通させるためにパネル全体を位置決めする従来に比べて、その取付作業を容易に行うことができる。その上、カバー２２と機器本体１との位置決めを容易に行えるから、端子３Ａ〜３Ｅと孔部２２１Ａ〜２２１Ｅとの隙間を小さくすることができるので、この隙間から機器本体１が露出することが少ないので、電子機器の外観を良好なものにできる。
【００２６】
（７）カバー２２はパネル本体２１に向けて突出する静電気飛び込み防止用の突起部２２１Ｆを備えているので、装置の外部から内部に静電気が侵入することを阻止することができる。
【００２７】
（８）端子３Ａ〜３Ｅは複数が直線状に配列され、窓部７は長手方向が端子配列方向に沿った略長円状に形成され、位置決め用突起２２１Ｆは窓部７の長手方向の周縁部に沿って直線状に係合されるから、端子３Ａ〜３Ｅの配列方向が窓部７の長手方向と一致することで、この点からも電子機器の外観を良好なものにできる。
【００２８】
（９）機器本体１は端子３Ａ〜３Ｅの基端部分を覆うとともに正面にカバー２２が取り付けられる箱部材１２を備え、カバー２２は正面と対向するカバー本体２２１と、このカバー本体２２１から折り曲げて形成され先端に係止用爪２２２Ａを有する係止片２２２とを備えている。そして、箱部材１２は係止片２２２を案内する開口部１２Ａと、係止用爪２２２Ａを係止する係止窓１２Ｂとが形成されている。そのため、
【００２９】
（１０）係止片２２２はカバー本体２２１の互いに対向する両端縁からそれぞれ設けられているから、カバー本体２２２の箱部材１２への取り付けを安定して行うことができる。
【００３０】
〔実施の形態の変形〕
なお、本発明の電子機器は前述の実施形態にのみ限定されるものではなく、本発明の要旨を逸脱しない範囲内において種々変更を加え得ることは勿論である。
例えば、前記実施形態ではテーパ面５１Ｂを設けたが、本発明では、テーパ面に代えて突出部を設けるものでもよい。
例えば、図７に示される通りテーパ面５１Ｂが形成される位置に突出部５０を設けることで、前記実施形態と同様の作用効果を奏することができる。
【００３１】
図７において、第２のパネル構成部品２１２は第１の面としての対向面６１Ａと正面部２１２Ａの裏面側に形成された第２の面２１２Ｅとを有する屈曲した形状である。これらの対向面（第１の面）６１Ａと第２の面２１２Ｅはそれぞれの端部で連結した連結部２１２Ｆを有する屈曲面を形成する。第１のパネル構成部品２１１は第２のパネル構成部品２１２の屈曲面を形成する第１の面６１Ａと第２の面２１２Ｅのそれぞれに接触する少なくとも二つの対向面５１Ａ，２１１Ｆを備えている。第１の面６１Ａと第１のパネル構成部品２１１の平面状に形成された対向面５１Ａとの端部は、取付具であるボルト９を介して取り付けられて固定部を形成し、第１の面６１Ａと、この第１の面６１Ａと対向する第２のパネル構成部品２１１の平面状の対向面５１Ａとの少なくとも一方（図７では対向面５１Ａ）には、突出部５１Ｇが形成されている。なお、突出部５１Ｇは第１のパネル構成部品５１１に一体に形成してもよく、別体に形成し、平面状の対向面５１Ａに取り付ける構成としてもよい。また、この突出部５１Ｇは、上述の図５の第１取付部５１のごとく、固定部から連結部２１２Ｆにかけてその突出量が漸次小さくなるような形状としてもよい。
また、前記実施形態では、テーパ面５１Ｂを第１のパネル構成部品２１１に形成したが、本発明では、テーパ面５１Ｂを第３のパネル構成部品２１２に形成するものでもよい。
また、取付具はボルト以外のもの、例えば、ピン等を用いることができる。
【００３２】
さらに、前記実施形態では、第１のパネル構成部品２１２に折返部５１Ｃを形成したが、折返部を必ずしも設けることを要せず、仮に、設ける場合であっても、第２のパネル構成部品２１１に設けてもよい。
また、本発明の部品の接合構造は電子機器に限定されるものではなく、例えば、玩具、建材等に用いてもよい。さらに、部品として、第１のパネル構成部品２１１と第２のパネル構成部品２１２との２種類の部品を例示して説明したが、３種類以上の部品であっても本発明の適用は可能である。
【００３３】
［実施形態の作用効果］
本実施形態では、第１のパネル構成部品２１１と第２のパネル構成部品２１２とを互いに対向面５１，６１同士を対向させて接合するとともに、対向面５１Ａ，６１Ａの一端側で第１のパネル構成部品２１１と第２のパネル構成部品２１２とを係止し、対向面５１Ａ，６１Ａの他端側で第１のパネル構成部品２１１と第２のパネル構成部品２１２とを取付具を介して取り付け、第１のパネル構成部品２１１及び第２のパネル構成部品２１２は、それぞれ端部に壁部２１１Ｂ，２１２Ｂを備え、これらの壁部２１１Ｂ，２１２Ｂの互いに対向する面が平面状の対向面６１Ａと略平行とされた部品の接合構造において、第２のパネル構成部品２１２は、対向面６１Ａが略平面状に形成され、第１のパネル構成部品２１１は対向面５１Ａの取付具の近傍に一端側から他端側にかけて厚み寸法が大きくなるテーパ面５１Ｂとされたから、取付具により両部品を接合することで、第２のパネル構成部品２１２と第１のパネル構成部品２１１との対向面５１Ａ，６１Ａが他端側から一端側にかけて近接することになり、第２のパネル構成部品２１２は、その壁部２１２Ｂが第１のパネル構成部品２１１の壁部２１１Ｂとの間の隙間が小さくなる方向に常に付勢されながら第１のパネル構成部品２１１に固定される。そのため、第１のパネル構成部品２１１や第２のパネル構成部品２１２に製造誤差があっても、両部品の壁部２１１Ｂ，２１２Ｂの間に隙間がなくなるので、電子機器の外観を良好なものにすることができる。
【図面の簡単な説明】
【００３４】
【図１】本発明の一実施形態にかかる電子機器の要部を示す分解斜視図である。
【図２】機器本体とパネルとの取付構造の詳細を示すもので、（Ａ）は分解断面図、（Ｂ）は断面図である。
【図３】第１のパネル構成部品と第２のパネル構成部品とが接合された状態を示すもので、（Ａ）は斜視図、（Ｂ）は断面図である。
【図４】ボルトをねじ込んだ状態を示すもので図３（Ｂ）に対応する断面図である。
【図５】第１のパネル構成部品と第２のパネル構成部品とを接合する手順を説明するもので、図３に対応する図である。
【図６】第１のパネル構成部品と第２のパネル構成部品とを接合する手順を説明するもので、図３に対応する図である。
【図７】本発明の変形例を示す図４に対応する図である。
【符号の説明】
【００３５】
１…機器本体
２…パネル
３Ａ〜３Ｅ…端子
７…窓部
９…ボルト（取付具）
１２…箱部材
１２Ａ…開口部
１２Ｂ…係止窓
２１…パネル本体
２２…カバー
５１Ａ…対向面
６１Ａ…対向面
５１Ｂ…テーパ面
５１Ｃ…折返部
５１Ｄ…ガイド面
５１Ｆ…先端部
５３…ガイド用突起
６１Ａ…対向面
２１１…第１のパネル構成部品（第１部品）
２１１Ｂ…壁部
２１１Ｅ…筒状部
２１２…第２のパネル構成部品（第２部品）
２１２Ｂ…壁部
２２１…カバー本体
２２１Ａ〜２２１Ｅ…挿通孔
２２１Ｆ…位置決め用突起
２２２…係止片
２２２Ａ…係止用爪
【図１】
2006120705.tif 000003
【図２】
2006120705.tif 000004
【図３】
2006120705.tif 000005
【図４】
2006120705.tif 000006
【図５】
2006120705.tif 000007
【図６】
2006120705.tif 000008
【図７】
2006120705.tif 000009